(57)【要約】【課題】  通電板群の樹脂モールド時に、相対する通電板間の十分な絶縁性を確保できる多層モールドバスバーを提供する。【解決手段】  複数枚の通電板８からなる通電板群をモールド型に配置し、樹脂モールドして、樹脂成形部６に埋設するに際し、通電板８の隙間には第１の絶縁スペーサ７ａ、第３の絶縁スペーサ７ｃが配置される。第１の絶縁スペーサ７ａは、台座と台座から突設した凸部を有し、凸部は通電板厚み寸法より大きい高さ寸法を有する。第３の絶縁スペーサ７ｃは、台座と台座から突設した凸部を有し、凸部は通電板厚み寸法と同等以下の高さ寸法を有する。通電板８に設けた貫通穴に凸部を挿入し当該通電板を台座で支持する。また、貫通穴から反対側に突出した凸部の頂面と台座の底面をそれぞれ、当該通電板と相対する通電板又はモールド型面３に当接させた状態で、樹脂モールドをする。【選択図】  図５
2014078406.tif 000002
【特許請求の範囲】
【請求項１】
所定の間隔を以って相対し保持された複数枚の通電板からなる通電板群をモールド型に配置し、樹脂モールドして、相対する通電板の隙間を樹脂で埋めるとともに前記通電板群をその一部を露出させた状態で樹脂成形部に埋設するに当たり、
前記所定の間隔を以って相対する通電板の隙間には第１の絶縁スペーサが配置され、前記第１の絶縁スペーサは、台座と台座から突設した凸部を有しており、前記凸部は通電板厚み寸法より大きい高さ寸法を有し、
通電板に設けた貫通穴に前記凸部を挿入して当該通電板を台座で支持するとともに、前記貫通穴から反対側に突出した凸部の頂面と台座の底面をそれぞれ、当該通電板と相対する通電板又はモールド型面に当接させた状態で、前記樹脂モールドをすることを特徴とする多層モールドバスバーの製造法。
【請求項２】
所定の間隔を以って相対し保持された複数枚の通電板からなる通電板群をモールド型に配置し、樹脂モールドして、相対する通電板の隙間を樹脂で埋めるとともに前記通電板群をその一部を露出させた状態で樹脂成形部に埋設するに当たり、
前記所定の間隔を以って相対する通電板の隙間には第２の絶縁スペーサが配置され、前記第２の絶縁スペーサは、台座と台座を挟んで互いに台座から反対方向に突設した凸部を有しており、前記凸部は通電板厚み寸法より大きい高さ寸法を有し、
相対する通電板に設けた貫通穴に前記反対方向に台座から突設した凸部を挿入して相対する通電板のそれぞれを台座の一方の面と他方の面で支持するとともに、前記貫通穴から反対側に突出した凸部の頂面を当該相対する通電板と相対する他の通電板又はモールド型面に当接させた状態で、前記樹脂モールドをすることを特徴とする多層モールドバスバーの製造法。
【請求項３】
所定の間隔を以って相対し保持された複数枚の通電板からなる通電板群をモールド型に配置し、樹脂モールドして、相対する通電板の隙間を樹脂で埋めるとともに前記通電板群をその一部を露出させた状態で樹脂成形部に埋設するに当たり、
前記所定の間隔を以って相対する通電板の隙間には第３の絶縁スペーサが配置され、前記第３の絶縁スペーサは、台座と台座から突設した凸部を有しており、前記凸部は通電板厚み寸法と同等以下の高さ寸法を有し、
通電板に設けた貫通穴に前記凸部を挿入して当該通電板を台座で支持するとともに、前記台座の底面を当該通電板と相対する通電板又はモールド型面に当接させた状態で、前記樹脂モールドをすることを特徴とする多層モールドバスバーの製造法。
【請求項４】
所定の間隔を以って相対し保持された複数枚の通電板からなる通電板群をモールド型に配置し、樹脂モールドして、相対する通電板の隙間を樹脂で埋めるとともに前記通電板群をその一部を露出させた状態で樹脂成形部に埋設するに当たり、
前記所定の間隔を以って相対する通電板の隙間には第４の絶縁スペーサが配置され、前記第４の絶縁スペーサは、台座と台座を挟んで互いに台座から反対方向に突設した凸部を有しており、前記凸部は通電板厚み寸法と同等以下の高さ寸法を有し、
相対する通電板に設けた貫通穴に前記反対方向に台座から突設した凸部を挿入して相対する通電板のそれぞれを台座の一方の面と他方の面で支持するとともに、前記台座の底面を当該通電板と相対する通電板又はモールド型面に当接させた状態で、前記樹脂モールドをすることを特徴とする多層モールドバスバーの製造法。
【請求項５】
凸部が大径部と小径部とで構成され、台座に近い方が大径部となっていることを特徴とする請求項１から４のいずれかに記載の多層モールドバスバーの製造法。
【請求項６】
台座が大径部と小径部とで構成されていることを特徴とする請求項１〜５のいずれかに記載の多層モールドバスバーの製造法。
【請求項７】
所定の間隔を以って相対し保持された複数枚の通電板からなる通電板群をモールド型に配置し、樹脂モールドして、相対する通電板の隙間を樹脂で埋めるとともに前記通電板群をその一部を露出させた状態で樹脂成形部に埋設するに当たり、
第１の絶縁スペーサ、第２の絶縁スペーサ、第３の絶縁スペーサ及び第４の絶縁スペーサから選ばれる少なくとも２つの絶縁スペーサを併用し（第３の絶縁スペーサと第４の絶縁スペーサのみを併用する場合を除く）、
通電板に設けた貫通穴に絶縁スペーサの凸部を挿入して当該通電板を台座で支持するとともに、前記貫通穴から反対側に突出した凸部の頂面を当該通電板と相対する通電板又はモールド型面に当接させ、絶縁スペーサの台座の底面を通電板と相対する通電板又はモールド型面に当接させた状態で、前記樹脂モールドをすることを特徴とする多層モールドバスバーの製造法。
【請求項８】
所定の間隔を以って相対し保持された複数枚の通電板からなる通電板群をモールド型に配置し、樹脂モールドして、相対する通電板の隙間を樹脂で埋めるとともに前記通電板群をその一部を露出させた状態で樹脂成形部に埋設するに当たり、
第３の絶縁スペーサと第４の絶縁スペーサの２つの絶縁スペーサのみを併用し、
通電板に設けた貫通穴に絶縁スペーサの凸部を挿入して当該通電板を台座で支持するとともに、絶縁スペーサの台座の底面を相対する通電板又はモールド型面に当接させた状態で、前記樹脂モールドをすることを特徴とする多層モールドバスバーの製造法。
【発明の詳細な説明】
【技術分野】
【０００１】
本発明は、多層モールドバスバーの製造法に関する。
【背景技術】
【０００２】
モールドバスバーは、通電板（バスバー）の一部を樹脂によりモールドしたものであり、非モールド部分を、電気・電子部品端子との接続に用いる。
使用方法について、より具体的に述べると、電気自動車又はハイブリッド車においては、バッテリーに蓄えられた電力を直流から交流に変換するインバータが用いられるが、このインバータに内蔵されるスイッチング素子、コンデンサ等の電気・電子部品の端子との接続に、モールドバスバーが用いられる。
また、接続端子が多岐に亘る場合には、通電板を複数枚積層して樹脂モールドし、通電板の間を絶縁体で隔てた多層モールドバスバーを用いることもあり、使用箇所により通電板の積層枚数を適宜選択することになる。
【０００３】
多層モールドバスバーの製造方法は、図１に示すように、上型１ａ、中型１ｂ及び下型２を有するモールド型３内に、通電板であるバスバー４を、上型１ａと下型２からモールド空間に突出する複数の保持ピン５にて保持し、バスバー４の端部を、上型１ａと中型１ｂの間に、また、中型１ｂと下型２の間に挟んで固定し、バスバー４の両端部を除く周囲とバスバー４同士の間に、絶縁体となる樹脂成形部６を形成する。
この製造方法では、バスバー４は、図１において最も下側になるものが、直接保持ピン５にて下型２との間に空間ができるように保持される。しかし、それよりも上側のバスバー４は、下側のバスバー４に遮られるので、下側のバスバー４に貫通穴９を設け、この貫通穴９を通して保持ピン５を上側のバスバー４に当接させて、バスバー４同士の間に空間ができるように保持される。
【０００４】
保持ピン５は、バスバー４の周囲に樹脂成形部６を形成するために、バスバー４同士の間及びバスバー４とモールド型３との間に空間ができるように、バスバー４を保持する目的で用いられるが、樹脂モールドしたモールドバスバーを脱型すると、図２（ａ）に示す斜視図及び図２（ｂ）に示す斜視断面図のように、保持ピン５（図１参照）にて保持していた部分には、樹脂成形部６がなく、モールドバスバー表面からバスバー４に達する穴１０が形成され、バスバー４が露出してしまう。
前記露出した部分は、電気絶縁性が確保されないため、後加工により樹脂による穴埋めが行われる。
【０００５】
後加工の方法については、特許文献１に、樹脂モールド対象物（バスバー）の保持を行う保持ピンの先端形状を、塞穴片を形成する型形状となし、保持ピンを抜いた後に、塞穴ピンを差し込み、塞穴片を溶融させてモールド対象物の露出を阻止することが開示されている。
【先行技術文献】
【特許文献】
【０００６】
【特許文献１】特開平０９−００７７２２号公報
【発明の概要】
【発明が解決しようとする課題】
【０００７】
しかしながら、特許文献１に開示されるものは、ピンを２回用いるので、工程が１回増えると共に、２回目のピン挿入時に位置決め精度を要求され、製造時間及び製造コストを増加させてしまう。
特に、多層モールドバスバーでは、穴埋め部分の箇所が、単層バスバーのものに比較して多くなり、特許文献１に記載されるような煩雑な作業は、好ましいものではない。
【０００８】
本発明は、樹脂成形部の樹脂モールド時に、バスバーに当接する保持ピンを使用することなく、後加工も必要とせずに、十分な絶縁性を確保できる多層モールドバスバーを、提供することを目的とする。
【課題を解決するための手段】
【０００９】
本発明は、以下の多層モールドバスバーの製造法に関する。
【００１０】
第１の製造法は、所定の間隔を以って相対し保持された複数枚の通電板からなる通電板群をモールド型に配置し、樹脂モールドして、相対する通電板の隙間を樹脂で埋めるとともに前記通電板群をその一部を露出させた状態で樹脂成形部に埋設するに当たって、前記所定の間隔を以って相対する通電板の隙間には第１の絶縁スペーサが配置される。ここで、前記第１の絶縁スペーサは、台座と台座から突設した凸部を有しており、前記凸部は通電板厚み寸法より大きい高さ寸法を有したものである。
通電板に設けた貫通穴に前記凸部を挿入して当該通電板を台座で支持するとともに、前記貫通穴から反対側に突出した凸部の頂面と台座の底面をそれぞれ、当該通電板と相対する通電板又はモールド型面に当接させた状態で、前記樹脂モールドをすることを特徴とする（請求項１）。
第１の絶縁スペーサの配置により、通電板群の通電板同士の間及び通電板とモールド型面との間に樹脂モールドのための空間が確保される。第１の絶縁スペーサは、その凸部を通電板の貫通穴に挿入して位置決めされている。従って、樹脂モールド時に動くことはなく、樹脂成形部に通電板群とともに埋設される。
【００１１】
第２の製造法は、上記第１の製造法において、所定の間隔を以って相対する通電板の隙間に第１の絶縁スペーサに代えて第２の絶縁スペーサが配置される。前記第２の絶縁スペーサは、台座と台座を挟んで互いに反対方向に台座から突設した凸部を有しており、前記凸部は通電板厚み寸法より大きい高さ寸法を有したものである。
相対する通電板に設けた貫通穴に前記反対方向に突設した凸部を挿入して相対する通電板のそれぞれを台座の一方の面と他方の面で支持するとともに、前記貫通穴から反対側に突出した凸部の頂面を当該相対する通電板と相対する他の通電板又はモールド型面に当接させた状態で、前記樹脂モールドをすることを特徴とする（請求項２）。
第２の絶縁スペーサの配置により、通電板群の通電板同士の間及び通電板とモールド型面との間に樹脂モールドのための空間が確保される。第２の絶縁スペーサは、その凸部を通電板の貫通穴に挿入して位置決めされている。併せて、相対する通電板同士の間も、それぞれに設けた貫通穴に前記反対方向に台座から突設した凸部を挿入したことによって位置規制される。従って、これらが樹脂モールド時に動くことはなく、高い位置決め精度を以って樹脂成形部に埋設される。
【００１２】
第３の製造法は、上記第１の製造法において、所定の間隔を以って相対する通電板の隙間に第１の絶縁スペーサに代えて第３の絶縁スペーサが配置される。前記第３の絶縁スペーサは、台座と台座から突設した凸部を有しており、前記凸部は通電板厚み寸法と同等以下の高さ寸法を有したものである。
通電板に設けた貫通穴に前記凸部を挿入して当該通電板を台座で支持するとともに、前記台座の底面を当該通電板と相対する通電板又はモールド型面に当接させた状態で、前記樹脂モールドをすることを特徴とする（請求項３）。
この場合も、第３の絶縁スペーサの配置により、通電板群の通電板同士の間及び通電板とモールド型面との間に樹脂モールドのための空間が確保される。第３の絶縁スペーサは、その凸部を通電板の貫通穴に挿入して位置決めされている。従って、モールド時に動くことはなく、樹脂成形部に通電板群とともに埋設される。
【００１３】
第４の製造法は、上記第１の製造法において、所定の間隔を以って相対する通電板の隙間に第１の絶縁スペーサに代えて第４の絶縁スペーサが配置される。前記第４の絶縁スペーサは、台座と台座を挟んで互いに反対方向に台座から突設した凸部を有しており、前記凸部は通電板厚み寸法と同等以下の高さ寸法を有したものである。
通電板に設けた貫通穴に前記凸部を挿入して当該通電板を台座で支持するとともに、前記台座の底面を当該通電板と相対する通電板又はモールド型面に当接させた状態で、前記樹脂モールドをすることを特徴とする（請求項４）。
この場合も、第４の絶縁スペーサの配置により、通電板群の通電板同士の間及び通電板とモールド型面との間に樹脂モールドのための空間が確保される。第４の絶縁スペーサは、その凸部を通電板の貫通穴に挿入して位置決めされている。従って、モールド時に動くことはなく、樹脂成形部に通電板群とともに埋設される。
【００１４】
上記の第１、第２、第３及び第４の絶縁スペーサは、それぞれの樹脂モールドにおいて単一種類のものだけを用いる必要はなく、第１、第２、第３及び第４の少なくとも２種類の絶縁スペーサを組合せて用いることができる（第３の絶縁スペーサと第４の絶縁スペーサのみを併用する場合を除く）。いずれの絶縁スペーサも、凸部を通電板の貫通穴に挿入し、台座で通電板を支持するように配置する。また、台座の底面を、必要に応じて、通電板と相対する通電板又はモールド型面に当接させる（請求項７）。
【００１５】
また、別の製造法では、第３の絶縁スペーサと第４の絶縁スペーサの２つの絶縁スペーサのみを併用して、通電板に設けた貫通穴に絶縁スペーサの凸部を挿入して当該通電板を台座で支持するとともに、絶縁スペーサの台座の底面を相対する通電板又はモールド型面に当接させる（請求項８）。
【発明の効果】
【００１６】
本発明によれば、絶縁スペーサを配置することにより、相対する通電板同士の隙間及び通電板とモールド型面との空間を保持し、この絶縁スペーサごと通電板群を樹脂モールドして通電板の一部を露出させた状態で樹脂成形部に埋設するので、通電板に当接する保持ピンを使用する必要がなく、一度の成形にて、通電板が露出する部分（本来樹脂モールドされるべきであるにも拘らず露出してしまう部分）をなくすことができる。
【図面の簡単な説明】
【００１７】
【図１】従来例である多層モールドバスバーの製造方法を示す工程図である。
【図２】従来例である多層モールドバスバーの説明図であり、（ａ）は斜視図、（ｂ）は斜視断面図である。
【図３】本発明の実施形態を示す断面図である。
【図４】絶縁スペーサの実施形態を示す斜視断面図である。
【図５】本発明の多層モールドバスバーの製造方法の一例を示す工程図である。
【図６】本発明の実施形態による多層モールドバスバーの説明図であり、（ａ）は斜視図、（ｂ）は斜視断面図である。
【図７】実施例１に用いる絶縁スペーサの斜視図である。
【図８】実施例２に用いる絶縁スペーサの斜視図である。
【図９】評価試験の様子を示す説明図である。
【発明を実施するための形態】
【００１８】
＜通電板＞
本発明にて述べる通電板の材質は、電気を通すものであれば、特に限定されるものではなく、より具体的には、鉄、銅、アルミニウム、金、銀等を用いることができ、特に、銅を用いると電気抵抗が低く発熱量が少なく、アルミニウムを用いると、軽量化でき好ましい。
また、通電板としては、前述した金属から選択される複数種の合金、前述した金属に他の金属、添加材等を含有した金属を用いることができる。
【００１９】
通電板の大きさは、特に制限されるものではなく、使用される部位に合せた大きさ及び形状とすることができる。
尚、通電板は、必要に応じて、各所を折り曲げて使用することもできる。
【００２０】
通電板は、端子として使用する部分と、後述する樹脂成形部に覆われる部分とに分かれる。樹脂成形部は、所定の間隔を以って相対する通電板群を埋設するように配置され、通電板同士が接触することを阻止する。
端子として使用する部分は、通電板の端部に設けることが好ましく、中央部に端子を設ける場合に比較し、樹脂モールド時に使用するモールド型の形状をより単純化でき、製造コストを抑えることができる。
通電板には、後述する絶縁スペーサの凸部を挿入するための貫通穴が設けられる。この貫通穴は、適宜の場所に設けることができ、穴形状も、円、楕円又は複合曲線形状等の曲線形状、三角形又は四角形等の多角形状、等とすることができる。貫通穴の大きさは、通電板の表面積を可能な限り確保、すなわち、表面電流量を確保する上で、小さい方が好ましい。
【００２１】
通電板は、その使用形態に応じて、金属板を打ち抜き加工すること作製でき、必要に応じて、切り欠き加工及び曲げ加工等を行うようにして作製される。
また、打ち抜き加工以外には、ワイヤー放電加工、レーザ加工、ウォータジェット加工、ターレットパンチングプレス加工等を用いることができ、製造個数が少ないのであれば、型の必要な打ち抜き加工よりも、ワイヤー放電加工を用いた方が、トータルコストが低く、精度の高い加工も行うことができる。
打ち抜き加工について、より具体的には、厚み：１〜３ｍｍのアルミニウム板を打ち抜き、端子となる部分を、必要に応じて曲げ加工により立たせる。尚、この曲げ加工は、後述する樹脂成形部の樹脂モールドの後に、行うこともできる。
【００２２】
通電板の端子となる部分には、他の電気部品を接続する際に、容易且つ確実に電気的接続を行えるように、めっきを施すことが好ましく、銅バスバーであれば、バスバーの表面に、ニッケルめっき、錫めっきを行う。また、このようなめっきは、電気的接続の容易性以外に、防錆としての効果もあり好ましい。
また、端子となる部分は、その形状に制限はないが、ボルトを通す孔をあけておくことが好ましく、防錆のため、ニッケルめっき又は錫めっきをすることが好ましい。
樹脂成形部に埋設される通電板の部分は、必ずしもめっきを必要としないが、めっき浴に通電板を浸漬して全体をめっきしやすいことから、この部分にもニッケルめっき又は錫めっきを施すことが好ましい。
尚、通電板の材質をアルミニウムとする場合には、必ずしも表面にめっきを行う必要はない。
【００２３】
＜絶縁スペーサ＞
本発明にて述べる絶縁スペーサは、樹脂成形部を樹脂モールドする際に、通電板群をモールド型内に位置決めすると共に、通電板同士の間及び通電板群の周囲に樹脂モールドする空間を保持することに用いられる。
絶縁スペーサの使用個数は、特に制限されるものではないが、安定して通電板を支えることができるように、複数用いることが好ましい。
【００２４】
絶縁スペーサは、以下に説明する第１、第２、第３の絶縁スペーサを単独で又は組み合せて用いることができる。
【００２５】
第１の絶縁スペーサ７ａは、図３（ａ）、図４（ａ）に示すように、台座１３と台座１３から突設した凸部１２を有しており、凸部１２は通電板８の厚み寸法より大きい高さ寸法を有している。
第１の絶縁スペーサ７ａを用いる場合について、より具体的に述べると、図３（ａ）に示すものは、通電板８を上下に所定間隔を以って相対して積層したものである。上下の通電板８のそれぞれに設けた貫通穴９は対向する位置からずらした位置にある。通電板８に設けた貫通穴９に前記凸部１２を挿入して当該通電板８を台座１３の面で支持する。そして、貫通穴９から反対側に突出した凸部１２の頂面と台座１３の底面を、それぞれ、当該通電板８と相対する通電板８又はモールド型面に当接する。これによって、相対する通電板８の隙間を保持し、通電板群をモールド型に配置したとき、通電板８とモールド型（上型１ａ、下型２）面との空間を保持する。
【００２６】
第２の絶縁スペーサ７ｂは、図３（ｂ）に示すように、台座と台座を挟んで互いに反対方向に台座から突設した凸部を有しており、前記凸部は通電板厚み寸法より大きい高さ寸法を有している。
第２の絶縁スペーサ７ｂを用いる場合について、より具体的に述べると、図３（ｂ）に示すものは、通電板８を上下に相対して積層したものであり、上下の通電板８のそれぞれに設けた貫通孔９は対向する位置にある。相対する通電板８に設けた貫通穴９のそれぞれに前記反対方向に台座から突設した凸部を挿入して、相対する通電板のそれぞれを台座の一方の面と他方の面で支持する。そして、前記貫通穴９から反対側に突出した凸部の頂面を当該相対する通電板８と相対する他の通電板又はモールド型面に当接する。これによって、相対する通電板８の隙間を保持し、通電板群をモールド型に配置したとき、通電板８とモールド型（上型１ａ、下型２）面との空間を保持する。
【００２７】
第３の絶縁スペーサ７ｃは、図３（ｃ）に示すように、台座と台座から突設した凸部を有しており、凸部は通電板８の厚み寸法と同等以下の高さ寸法を有している。
第３の絶縁スペーサ７ｃを用いる場合について、より具体的に述べると、図３（ｃ）に示すものは、通電板８を上下に所定間隔を以って相対して積層したものである。上下の通電板８のそれぞれに設けた貫通穴９は、対向する位置又は対向する位置からずらした位置のいずれにあってもよい。通電板８に設けた貫通穴９に前記凸部を挿入して当該通電板８を台座の面で支持する。そして、台座の底面を当該通電板８と相対する通電板８又はモールド型面に当接する。これによって、相対する通電板８の隙間を保持し、通電板群をモールド型に配置したとき、通電板８とモールド型（上型１ａ、下型２）面との空間を保持する。
【００２８】
第４の絶縁スペーサ（図示せず）は、第２の絶縁スペーサを使用する場合に準じて使用する。通電板の貫通穴に挿入した第４の絶縁スペーサの凸部は、当該貫通穴から反対側に突出しない。この点が、第２の絶縁スペーサを使用する場合と異なる。従って、相対する通電板との間には、別の第４の絶縁スペーサが準備される。
【００２９】
第１、第２、第３及び第４の絶縁スペーサは、それぞれの樹脂モールドにおいて単一種類の絶縁スペーサだけを用いる必要はなく、第１、第２、第３及び第４の少なくとも２種類の絶縁スペーサを組合せて用いることができる。
【００３０】
第１の絶縁スペーサ７ａと第２の絶縁スペーサ７ｂを組合せて用いる場合について、より具体的に述べると、図３（ｄ）に示すものは、相対する通電板８の対向する位置に設けた貫通穴９のそれぞれに絶縁スペーサ７ｂの台座から反対方向に突出している凸部を挿入して、相対する通電板８のそれぞれを台座の一方の面と他方の面で支持する。そして、前記貫通穴９から反対側に突出した凸部の頂面をモールド型（上型１ａ、下型２）面に当接する。
また、通電板８には、前記とは異なる位置にも貫通穴９を設けてある。この貫通穴に、第１の絶縁スペーサ７ａの凸部を挿入し、通電板を台座の面で支持する。そして、貫通穴から反対側に突出した凸部の頂面を相対する通電板に当接し、台座の底面をモールド型（上型１ａ、下型２）面に当接する。
これによって、相対する通電板８の隙間を保持し、通電板群をモールド型に配置したとき、通電板８とモールド型（上型１ａ、下型２）面との空間を保持する。
【００３１】
次に、第１の絶縁スペーサ７ａと第３の絶縁スペーサ７ｃを組合せて用いる場合について、より具体的に述べると、図３（ｅ）に示すものは、相対する通電板８の対向する位置に設けた貫通穴９のそれぞれに絶縁スペーサ７ａ、７ｃそれぞれの台座から突出している凸部を挿入して、通電板８を台座の面で支持する。そして、貫通穴９から反対側に突出した凸部の頂面と台座の底面を、相対する通電板とモールド型（上型１ａ、下型２）面に当接する。
これによって、相対する通電板８の隙間を保持し、通電板群をモールド型に配置したとき、通電板８とモールド型（上型１ａ、下型２）面との空間を保持する。
【００３２】
このようにして、第１、第２、第３の絶縁スペーサのうち少なくとも２種を適宜組合せて、相対する通電板間の隙間保持と、通電板とモールド型面との空間保持とをすることができる。
【００３３】
図４（ｂ）は、先に述べた図４（ａ）の絶縁スペーサ７ａの凸部１２が、大径部と小径部とで構成され、台座に近い方が大径部となっている絶縁スペーサの態様を示している。同様に、台座１３の底面側が大径部と小径部となっていてもよい。このような態様は、第２、第３の絶縁スペーサに対しても、同様に適用できる。
これらの態様では、大径部と小径部による段部が形成されるので、樹脂モールドした樹脂成形部と絶縁スペーサの界面において、相対する通電板間の沿面距離が長くなり、絶縁性を高めることができる。
【００３４】
上記の発明の実施形態では、通電板を２枚使用した例を説明したが、３枚以上の通電板を使用する場合も、第１、第２、第３及び第４の絶縁スペーサから適宜の絶縁スペーサを選択して、通電板を２枚使用する場合に準じて実施することができる。
【００３５】
絶縁スペーサの材質は、特に制限されるものではないが、絶縁性を有するものを用いる必要があり、具体的には、後に述べる樹脂成形部の材質にて列挙したものを用いることができる。特に、ポリフェニレンサルファイド樹脂を用いることが、絶縁性が高く、比較的低コストであるため好ましい。また、絶縁スペーサには、耐熱性、寸法安定性等を向上させる目的で、ガラス繊維、ガラスビーズ、タルク等の無機充填材を適宜配合してもよい。
【００３６】
また、絶縁スペーサは、後述する樹脂成形部との密着性を上げるために、樹脂成形部と同種樹脂により作製されることが好ましいが、異ならせることもできる。絶縁スペーサの樹脂材料を樹脂成形部の樹脂材料と異ならせる場合には、樹脂成形部との密着性を上げるために、絶縁スペーサの表面に粗面化処理、微細突起の付与等を行うことが好ましい。加えて、絶縁スペーサの熱膨張係数を、樹脂成形部の熱膨張係数と近くなるように設計することで、長期使用時における樹脂成形部と絶縁スペーサの界面破壊を防ぐこともできる。
尚、ＰＢＴ（ポリブチレンテレフタレート）樹脂を樹脂成形部及び絶縁スペーサを形成する樹脂材料に用いる場合は、ヒートショックで樹脂成形部と絶縁スペーサとの密着性が悪くなることがある。このような場合は、密着性を向上させる対策として、一次成形品（絶縁スペーサ）の材質を、低融点ＰＢＴ樹脂又は、エラストマー変性の樹脂を用いるようにする。
絶縁スペーサは、従来公知の様々な方法により作製することができるが、精度良く、大量に製造するのであれば、射出成形により作製することが好ましい。
【００３７】
＜樹脂成形部＞
本発明にて述べる樹脂成形部は、前述した通電板群を、その一部（端子となる部分）を露出させた状態で埋設するためのものであり、通電板同士の間の絶縁と周囲からの絶縁を行う。
樹脂成形部に使用する樹脂材料は、絶縁確保ができるものであれば特に限定されるものではなく、具体的には、熱可塑性樹脂、熱硬化性樹脂、ゴム類等を用いることができる。
また、樹脂成形部を構成する樹脂材料には、耐熱性、寸法安定性等を向上させる目的で、ガラス繊維、ガラスビーズ、タルク等の無機充填材を適宜配合してもよい。
【００３８】
熱可塑性樹脂材料としては、アイオノマー樹脂、アミノポリアクリルアミド樹脂、イソブチレン無水マレイン酸コポリマー樹脂、ＡＢＳ（アクリロニトリル−ブタジエン−スチレン共重合体）、ＡＣＳ（アクリロニトリル−塩素化ポリエチレン−スチレン共重合体）、ＡＥＳ（アクリロニトリル−エチレン−スチレン共重合体）、ＡＳ（アクリロニトリル−スチレン共重合体）、ＡＳＡ（アクリロニトリル−スチレン−アクリル共重合体）、ＭＢＳ（メチルメタクリレート−ブタジエン−スチレン共重合体）、エチレン塩化ビニルコポリマー樹脂、エチレン酢酸ビニルコポリマー樹脂、エチレン酢酸ビニル塩化ビニルグラフトポリマー樹脂、エチレン・ビニルアルコールコポリマー樹脂、塩素化ポリ塩化ビニル樹脂、塩素化ポリエチレン樹脂、塩素化ポリプロピレン樹脂、カルボキシビニルポリマー樹脂、ケトン樹脂、臭素化ポリスチレン樹脂、非晶性コポリエステル樹脂、ノルボルネン樹脂、フッ化エチレンポリプロピレンコポリマー樹脂、ＰＦＡ（テトラフルオロエチレン−パーフルオロアルキルビニルエーテル）、ポリクロロトリフルオロエチレン樹脂、エチレンテトラフルオロエチレンコポリマー樹脂、低融点エチレンテトラフルオロエチレンコポリマー樹脂、ポリフッ化ビニリデン樹脂、ポリフッ化ビニル樹脂、ポリアセタール樹脂、ポリアミド樹脂、ポリアミドイミド樹脂、ポリアリレート樹脂、熱可塑性ポリイミド樹脂、ポリエーテルイミド樹脂、ポリエーテルエーテルケトン樹脂、ポリエチレン樹脂、ポリオレフィン系エマルジョン樹脂、ポリエチレンオキサイド樹脂、ポリエチレンテレフタレート樹脂、ポリエチレンナフタレート樹脂、ポリ塩化ビニリデン樹脂、ポリ塩化ビニリデンラテックス樹脂、ポリ塩化ビニル樹脂、ポリカーボネート樹脂、ポリ酢酸ビニル樹脂、ポリスチレン樹脂、ポリサルホン樹脂、ポリパラビニルフェノール樹脂、ポリパラメチルスチレン樹脂、ポリアリルアミン樹脂、ポリビニルアルコール樹脂、ポリビニルエーテル樹脂、ポリビニルブチラール樹脂、ポリビニルホルマール樹脂、ポリフェニレンエーテル樹脂、ポリフェニレンサルファイド樹脂、ポリブタジエン樹脂、ポリブチレンテレフタレート樹脂、ポリプロピレン樹脂、ポリメチルペンテン樹脂、ポリメチルメタクリレート樹脂、液晶ポリマー樹脂等を用いることができ、特にポリフェニレンサルファイド樹脂を用いることが、絶縁性が高く、比較的低コストであるため好ましい。
【００３９】
熱硬化性樹脂材料としては、エポキシ樹脂、オリゴエステルアクリレート樹脂、キシレン樹脂、グアナミン樹脂、ジアリルフタレート樹脂、ＤＦＫ樹脂（レゾルシノール系樹脂）、熱硬化性樹脂プレポリマー、ビニルエステル樹脂、フェノール樹脂、不飽和ポリエステル樹脂、フラン樹脂、ポリイミド樹脂、ポリウレタン樹脂、マレイン酸樹脂、メラミン樹脂、ユリア樹脂等を、用いることができる。
【００４０】
ゴム類の材料としては、ＳＢＲ（スチレン・ブタジエンゴム）、ＢＲ（ブタジエンゴム）、ＩＲ（イソプレンゴム）、ＥＰＭ（エチレン・プロピレンゴム）、ＥＰＤＭ（エチレン・プロピレン・ジエンゴム）、ＮＢＲ（ニトリルゴム）、クロロプレンゴム、ＩＩＲ（ブチルゴム）、ウレタンゴム、シリコーンゴム、多硫化ゴム、水酸化ニトリルゴム、フッ素ゴム、四フッ化エチレン・プロピレンゴム、四フッ化エチレン・プロピレン・フッ化ビニリデンゴム、アクリルゴム、クロロスルホン化ポリエチレンゴム、エピクロロヒドリンゴム、エチレン・アクリルゴム、液状ゴム、オレフィン系熱可塑性エラストマー、ウレタン系熱可塑性エラストマー、ポリエステル系熱可塑性エラストマー、ポリアミド系熱可塑性エラストマー、塩ビ系熱可塑性エラストマー、フッ素系熱可塑性エラストマー等を用いることができる。
【００４１】
＜多層モールドバスバーの製造方法＞
多層モールドバスバーの製造方法は、特に制限されるものではないが、図面を用いて以下に説明する。
多層モールドバスバーは、先に説明した通電板及び絶縁スペーサを用いる。絶縁スペーサを用いることで、通電板群は、モールド型内に、相対する通電板が所定の隙間を以って、且つ、通電板とモールド型面の間に空間を保持して配置され、樹脂成形部を成形するための空間を確保する。
図５（図３（ｅ）相当）を参照して一例を説明すると、図５（ａ）では、第１の絶縁スペーサ７ａ、第２の絶縁スペーサ７ｃの凸部が、通電板８に設けた貫通穴９に挿入され、２枚の相対する通電板８が絶縁スペーサの台座の厚み相当の間隔を以って保持される。
図５（ｂ）に示すように、この通電板８の群は、モールド型３の内部に配置され、図５（ｃ）に示すように、樹脂を射出成形することで、絶縁スペーサと通電板群が樹脂成形部６により樹脂モールドされる。その後は、樹脂の固化を待ち、脱型することで、多層モールドバスバー（図６参照）となる。
【実施例】
【００４２】
＜絶縁スペーサの作製＞
絶縁スペーサは、図７（ａ）に示す第１の絶縁スペーサ７ａと（ｂ）に示す第３の絶縁スペーサ７ｃの２種類を準備した。
第１の絶縁スペーサ７ａは、直径：５．０ｍｍ、高さ：１．５ｍｍの円柱形状の台座に、これと同芯に、直径：２．５ｍｍ、高さ：３．０ｍｍの円柱形状の凸部を設けている。
第３の絶縁スペーサ７ｃは、直径：５．０ｍｍ、高さ：１．５ｍｍの円柱形状の台座に、これと同芯に、直径：２．５ｍｍ、高さ：１．５ｍｍの円柱形状の凸部を設けている。
これら絶縁スペーサは、共に、ＰＰＳ樹脂：５０質量％に対し、無機充填材として、ガラス繊維：３０質量％と鉱物粉末：２０質量％を添加した、ＰＰＳ強化樹脂を用いて、射出成形により作製したものである。
【００４３】
＜通電板の作製＞
通電板は、縦：１２ｍｍ、横：１００ｍｍ、高さ（厚み）：１．５ｍｍの銅板を用意し、この銅板の表面にニッケルめっきを施した。
また、通電板には、先に説明した絶縁スペーサの凸部を挿入する貫通穴（直径：２．５ｍｍ）を所定の位置に複数個設けた。すなわち、貫通穴は、通電板の長手方向中心線に沿い、２０ｍｍ間隔で４箇所に設けた。
【００４４】
（実施例１）
多層モールドバスバーを、先に述べた第１の絶縁スペーサ７ａ及び第３の絶縁スペーサ７ｃと通電板８を用いて作製した。
具体的には、図５を参照して説明した手順に従う。通電板の貫通穴に第１、第３の絶縁スペーサの凸部を挿入して、図５（ａ）に示すように通電板群を積層した。
図５（ｂ）に示すように上記積層した通電板群をモールド型３内にセットし、絶縁スペーサと同じ材料組成のＰＰＳ樹脂をモールド型内に射出して、図５（ｃ）に示すように樹脂成形部６を成形した。成形時の条件は、樹脂（シリンダ）温度：３２０℃、モールド型温度：１５０℃、成形サイクル：６０秒とした。
【００４５】
（実施例２）
実施例１で用いた第１、第３の絶縁スペーサ相当として、これに代えて、図８（ａ）及び（ｂ）に示す絶縁スペーサを用いて、以下、実施例１と同様に多層モールドバスバーを作製した。
図８（ａ）に示す絶縁スペーサは、最大直径：５．０ｍｍ、高さ：１．５ｍｍの台座の底面側が、直径：４．０ｍｍ、高さ：０．５ｍｍの小径部となっている。また、最大直径：２．５ｍｍ、高さ：３．０ｍｍの凸部の上方が、直径：１．５ｍｍ、高さ：０．５ｍｍの小径部となっている。すべて円の軸芯を同じくしている。
図８（ｂ）に示す絶縁スペーサは、最大直径：５．０ｍｍ、高さ：１．５ｍｍの台座の底面側が、直径：４．０ｍｍ、高さ：０．５ｍｍの小径部となっている。また、最大直径：２．５ｍｍ、高さ：１．５ｍｍの凸部の上方が、直径：１．５ｍｍ、高さ：０．５ｍｍの小径部となっている。すべての円の軸芯を同じくしている。
【００４６】
＜絶縁耐圧試験＞
前述した実施例１及び２にて作製した多層モールドバスバーについて、絶縁耐圧試験を行った。絶縁耐圧試験は、絶縁耐圧試験機（菊水電子工業株式会社製、商品名：ＴＯＳ５０５０Ａ）を用いて、図９に示すように、通電板８の露出部に、ケーブル１６を接続し、ＡＣ２ｋＶを６０秒間印加し続け、漏れ電流を測定した。
実施例１による多層モールドバスバーは、漏れ電流が１００μＡ以下であることを確認した。
また、実施例２による多層モールドバスバーについても同様に試験を行い、漏れ電流が３０μＡ以下であることを確認した。
【００４７】
本発明による多層モールドバスバーの製造では、保持ピンの使用の必要がなく、樹脂成形部の表面から通電板に達して通電板が露出した状態となる穴が形成されない。従って、当該部分を穴埋めするための作業工程が不要である。位置決めされた絶縁スペーサの存在により、相対する通電板間の隙間が樹脂モールド中も確実に保持され、樹脂モールド中の樹脂流れの圧力による通電板の変形が防止されるので、多層モールドバスバーとして重要な特性である相対する通電板間の絶縁性も確保していることが確認できた。
【００４８】
絶縁スペーサの台座及び／又は凸部を、大径部と小径部を付与した形状にすると、絶縁スペーサと樹脂成形部の界面の沿面距離を長くして、絶縁性能を一層高めることができる（実施例２）。
【符号の説明】
【００４９】
１ａ：上型、１ｂ：中型、２：下型、３：モールド型、４：バスバー、５：保持ピン、
６：樹脂成形部、
７ａ：第１の絶縁スペーサ、７ｂ：第２の絶縁スペーサ、７ｃ：第３の絶縁スペーサ、
８：通電板、９：貫通穴、１０：穴、１２：凸部、１３：台座、１６：ケーブル
【図１】
2014078406.tif 000003
【図２】
2014078406.tif 000004
【図３】
2014078406.tif 000005
【図４】
2014078406.tif 000006
【図５】
2014078406.tif 000007
【図６】
2014078406.tif 000008
【図７】
2014078406.tif 000009
【図８】
2014078406.tif 000010
【図９】
2014078406.tif 000011